(57)【要約】【課題】  様々な撮影姿勢で撮影を行う際にも、常に画像表示体の表示が見やすく構成され、且つ、その際の操作が容易とされたビューファインダ及びビデオカメラを提供する。【解決手段】  表示体としての液晶表示パネル３０を有する本体部３１と、光路をＬ字状に折り曲げるミラー３７を有し、本体部３１の液晶表示パネル３０側の一端部に対して第１の回動支持部であるヒンジ部４２により回動可能に設けられ、上記一端部を開閉する折曲部３２と、折曲部３２の本体部３１と反対側の他端部に第２の回動支持部であるヒンジ部４１により回動可能に設けられ、上記他端部を開閉するルーペ部３３とを備える。【選択図】  図１６
2011087255.tif 000002
【特許請求の範囲】
【請求項１】
表示体を有する本体部と、
光路をＬ字状に折り曲げるミラーを有し、上記本体部の上記表示体側の一端部に対して第１の回動支持部により回動可能に設けられ、上記一端部を開閉する折曲部と、
上記折曲部の上記本体部と反対側の他端部に第２の回動支持部により回動可能に設けられ、上記他端部を開閉するルーペ部とを備えるビューファインダ。
【請求項２】
上記第１の回動支持部において、上記本体部に対して上記折曲部が取り外し可能である請求項１記載のビューファインダ。
【請求項３】
上記第２の回動支持部において、上記折曲部に対して上記ルーペ部が取り外し可能である請求項１又は請求項２記載のビューファインダ。
【請求項４】
上記第１及び／又は第２の回動支持部がフリクション構造を有するヒンジであり、上記折曲部、上記ルーペ部の一方又は両方は、所定の回動位置で静止可能とされた請求項１乃至請求項３のうちいずれか１項に記載のビューファインダ。
【請求項５】
上記折曲部及び上記ルーペ部は、上記第１及び第２の回動支持部が上方に位置する一辺に設けられ、上方に向けて開放動作される請求項１乃至請求項４のうちいずれか１項に記載のビューファインダ。
【請求項６】
被写体を撮像するカメラ本体と、
ビューファインダとを備え、
上記ビューファインダは、表示体を有する本体部と、
光路をＬ字状に折り曲げるミラーを有し、上記本体部の上記表示体側の一端部に対して第１の回動支持部により回動可能に設けられ、上記一端部を開閉する折曲部と、
上記折曲部の上記本体部と反対側の他端部に第２の回動支持部により回動可能に設けられ、上記他端部を開閉するルーペ部とを備えるビデオカメラ。
【請求項７】
さらに、上記カメラ本体の側面部に操作部を有し、
上記表示体の表示面は、上記本体部が上記カメラ本体に取り付けられた状態で、上記操作部の操作面と同じ向きである請求項６記載のビデオカメラ。
【請求項８】
さらに、上記カメラ本体の側面部に更なる表示体を有し、
上記更なる表示体の表示面は、上記操作部の操作面と同じ向きである請求項７記載のビデオカメラ。
【発明の詳細な説明】
【技術分野】
【０００１】
本発明は、撮像した映像を拡大するルーペ部を備えたビューファインダ及びこのビューファインダを備えたビデオカメラに関する。
【背景技術】
【０００２】
放送局等で使用される業務用のＥＮＧ（Electrical News Gathering）用等のビデオカメラは、カメラ本体に、カメラ本体で撮影する被写体を見ることができるようにするビューファインダが設けられている。また、このビューファインダには、画像表示体として液晶表示パネルが内蔵されているものがある。さらに、このビデオカメラのビューファインダには、撮像している映像を視野内全てで映像を見ることができるようにするため、鏡筒内に拡大レンズを設けたファインダが取り付けられることがある。画像表示体として液晶表示パネルを用いたビデオカメラが、例えば特許文献１に開示されている。
【０００３】
かかるビューファインダは、液晶表示パネルと、液晶表示パネルからの光を反射するミラーと、ミラーで反射された光を拡大するルーペとを有する。そして、特許文献１に記載のビューファインダでは、ルーペとミラーとが一体に組み付けられ、これらを液晶表示パネル側から取り外し可能なように構成されている。よって、これらを液晶表示パネル側から取り外すことにより液晶表示パネルを直接見ることが可能である。
【０００４】
上述の様なビデオカメラを用いるに際して、基本的な姿勢である肩に載せた状態のみならず、ハイアングルやローアングルで撮影する等の様々な姿勢で撮影を行う際にも液晶表示パネルの表示が見やすく構成されることが望まれる。さらに、所謂自分撮りを行う際にも前面側から液晶表示パネルの表示が見やすく構成されることが望まれる。そこで、特許文献１では、ハイアングルやローアングルでの撮影の際に、ルーペ部を外すことができるようになっている。しかし、一度ルーペ部を外したときには、カメラ本体と別体になってしまい、ルーペ部が邪魔になってしまう。
【先行技術文献】
【特許文献】
【０００５】
【特許文献１】特開２００４−１６３９０５号公報
【発明の概要】
【発明が解決しようとする課題】
【０００６】
本発明の目的は、様々な撮影姿勢で撮影を行う際や撮影後に確認する際にも、常に画像表示体の表示が見やすく構成され、且つ、その際の操作が容易とされたビューファインダ及びビデオカメラを提供することにある。
【課題を解決するための手段】
【０００７】
この目的を達成するため、本発明に係るビューファインダは、表示体を有する本体部と、光路をＬ字状に折り曲げるミラーを有し、上記本体部の上記表示体側の一端部に対して第１の回動支持部により回動可能に設けられ、上記一端部を開閉する折曲部と、上記折曲部の上記本体部と反対側の他端部に第２の回動支持部により回動可能に設けられ、上記他端部を開閉するルーペ部とを備える。
【０００８】
また、本発明に係るビデオカメラは、被写体を撮像するカメラ本体と、ビューファインダとを備え、上記ビューファインダは、表示体を有する本体部と、光路をＬ字状に折り曲げるミラーを有し、上記本体部の上記表示体側の一端部に対して第１の回動支持部により回動可能に設けられ、上記一端部を開閉する折曲部と、上記折曲部の上記本体部と反対側の他端部に第２の回動支持部により回動可能に設けられ、上記他端部を開閉するルーペ部とを備える。
【発明の効果】
【０００９】
本発明は、折曲部とルーペ部がそれぞれ回動し開閉可能なように構成されているため、画像表示体を直接見るか、ミラー越しに見るか、ミラー及びルーペ越しに見るかを簡単な操作で選択することを可能とする。よって、本発明は、様々な撮影姿勢で撮影を行う際や撮影後に確認する際にも、常に画像表示体の表示が見やすくすることを実現でき、且つ、その際の操作を簡単にすることができる。また、本発明は、ルーペ部や折曲部が本体部と別体にならなくすることができるため、ルーペ部や折曲部の取り扱いが容易である。
【図面の簡単な説明】
【００１０】
【図１】本発明を適用したビデオカメラの斜視図である。
【図２】本発明を適用したビデオカメラの正面図である。
【図３】本発明を適用したビデオカメラの背面図である。
【図４】本発明を適用したビデオカメラの左側面図である。
【図５】本発明を適用したビデオカメラの右側面図である。
【図６】本発明を適用したビデオカメラの平面図である。
【図７】本発明を適用したビデオカメラの底面図である。
【図８】ビデオカメラのビューファインダのファインダ部分が回動する状態を説明するための側面図である。
【図９】ビデオカメラに対してビューファインダを着脱する状態を説明する斜視図である。
【図１０】本発明を適用したビューファインダの正面図である。
【図１１】本発明を適用したビューファインダの背面図である。
【図１２】本発明を適用したビューファインダの左側面図である。
【図１３】本発明を適用したビューファインダの右側面図である。
【図１４】本発明を適用したビューファインダの平面図である。
【図１５】本発明を適用したビューファインダの底面図である。
【図１６】本発明を適用したビューファインダの斜視図である。
【図１７】本発明を適用したビューファインダの斜視図である。
【図１８】ビューファインダのルーペ部が開かれた状態を示す斜視図である。
【図１９】ビューファインダの折曲部が開かれた状態を示す斜視図である。
【図２０】ビューファインダのルーペ部及び折曲部の回動支持部分を説明するための図である。（Ａ）は、ルーペ部が開かれた状態の平面図である。（Ｂ）は、ルーペ部が取り外された状態を示すルーペ部の平面図である。
【図２１】ビューファインダのルーペ部及び折曲部の回動支持部分の取り外し機能を説明するための図であり、回動支持部分を構成する結合部及び取付部の斜視図である。
【図２２】ビューファインダのルーペ部及び折曲部の回動支持部分の取り外し状態への移動をロックするロック機能を説明するための図であり、回動支持部分を構成する結合部の斜視図である。
【図２３】ビューファインダのルーペ部及び折曲部の回動支持部分の取り外し機能及びロック機能を説明するための図であり、回動支持部分を構成する結合部及び取付部の断面図である。
【図２４】ビューファインダのルーペ部及び折曲部の回動動作をロックするロック部の構成を説明するための図であり、ルーペ部及び折曲部のロック部の斜視図である。
【図２５】ビューファインダが有するファインダの構成を説明する図である。
【発明を実施するための形態】
【００１１】
以下、発明を実施するための最良の形態を以下の順で説明する。
１．ビデオカメラの全体構成
２．ビューファインダの構成
【００１２】
〔１．ビデオカメラの全体構成〕
以下、本発明を適用したビューファインダを備えるビデオカメラについて、図面を参照して説明する。
【００１３】
本発明が適用されたビデオカメラは、撮像した被写体の映像を例えばデジタルデータに変換し、このデジタルデータを記録するビデオカメラであり、いわゆるデジタルハイビジョン放送等に用いる高画質デジタル映像を撮像する場合に用いられる。このビデオカメラは、使用者等が映像を見るためのビューファインダが着脱可能であり、所望の位置から所望の視野で撮像中の映像及び撮像された映像を確認することができる。以下では、図１乃至図７に示すような、ビデオカメラ１について説明する。図１は、ビデオカメラの斜視図である。図２〜図７は、それぞれ、ビデオカメラの正面図、背面図、左側面図、右側面図、平面図、底面図である。
【００１４】
図１等に示すビデオカメラ１は、被写体からの光学像をカメラ本体１１の撮像素子に導く光学部材が内蔵されたレンズ部１０と、レンズ部１０からの光学像を電気信号に変換して映像信号を生成するカメラ本体１１とを備える。また、ビデオカメラ１は、カメラ本体１１から出力されたモニタ用の映像信号に基づく映像を表示するビューファインダ１２を備える。さらに、ビデオカメラ１は、カメラ本体１１を使用者の肩に乗せるための凹状に形成されたショルダーパット１５と、カメラ本体１１を持ち上げたり、持ち運ぶ際に取手となる取手部１４とを備えている。
【００１５】
レンズ部１０は、光学部材として、被写体からの光を集光する撮像レンズ２１を有している。また、レンズ部１０は、例えば図示しないズーム機構を有しており、このズーム機構を駆動することで撮像レンズ２１の光学倍率を所定の範囲で可変することができる。
【００１６】
カメラ本体１１は、図１乃至図９に示すように、略直方体状のビデオカメラ１の本体を形成し、長手方向の一側面が前面とされ、前面にレンズ部１０が取り付けられている。また、カメラ本体１１には、上面に取手部１４が設けられ、底面に使用者が肩に担ぐ際のクッションとなるショルダーパット１５が配設されている。更に、カメラ本体１１には、底面にカメラ本体１１を三脚等に固定するための三脚取付部１６と、前面にビューファインダ１２を取り付けるためのビューファインダ取付部１７とが設けられている。
【００１７】
カメラ本体１１は、撮像レンズ２１により集光された光を受光し光電変換することで、被写体を撮像するＣＣＤ（Charge−Coupled Device）等の受光素子を有している。カメラ本体１１は、例えば、撮像レンズ２１により集光された光を３原色である赤、緑及び青色の成分に分離する図示しない光学系である分光プリズムを有している。そして、分離された各色の成分に対応するようにＣＣＤが３つ設けられた、いわゆる３ＣＣＤ方式が採用されている。
【００１８】
以上のようなカメラ本体１１は、映像信号処理回路等でＣＣＤにより受光した光の強度に応じた映像信号を生成する。なお、受光素子には、ＣＣＤを用いることとしたがこれに限定されるものではなく、例えば効率よく光電変換を行う光電変換素子としてＣＭＯＳ（complementary metal-oxide semiconductor device）等を用いてもよい。また、３ＣＣＤも一例に過ぎない。
【００１９】
更に、カメラ本体１１は、受光素子により撮像されて出力された映像信号を記録するための図示しない記録再生部を有している。記録再生部は、磁気テープを記録媒体とするテープカセット、ハードディスク、光ディスク等の記録媒体が装着される装着部と、この装着部に装着された記録媒体に対して映像信号や音声信号等の情報信号の記録再生をする磁気ヘッド、光ピックアップ等を有している。したがって、カメラ本体１１は、映像信号を記録媒体に記録し、又は記録媒体に記録された情報を再生する機能を有する。ここでは、カメラ本体１１の側面部に、図４に示すように、ＩＣカードスロット１８が設けられている。ＩＣカードスロット１８には、フラッシュメモリ等の半導体メモリを内蔵し、静止画像、動画像、音声、テキストデータ、プログラム等を記憶するメモリカード等のＩＣカード、例えばいわゆるメモリスティック（商標）が装着される。
【００２０】
また、カメラ本体１１は、受光素子からの映像信号を再生してビューファインダ１２に出力する。なお、以上の例では、カメラ本体１１に、記録再生部が内蔵されているものとしたが、本発明は、カメラ本体１１に記録再生部を設けず、外部出力端子に接続された記録再生部を用いて映像信号等の情報信号の記録や再生を行うようにしてもよい。カメラ本体１１の側面部には、図１及び図５に示すように、当該ビデオカメラの所定の機能を操作するための編集操作部２４と、表示部２５とが設けられている。編集操作部２４の操作面と、表示部２５の表示面と、後述する液晶表示パネル３０の表示面とがそれぞれ同じ向きとされている。よって、使用者は、それぞれの表示面を見ながら編集操作部２４を操作することができる。表示部２５は、例えば、液晶表示パネル、有機ＥＬパネル、ＣＲＴ等である。
【００２１】
ビューファインダ１２は、図９に示すように、カメラ本体１１のビューファインダ取付部１７に着脱可能に取り付けられる。ビューファインダ１２は、カメラ本体１１で生成された映像信号を再生して使用者が肉眼で確認したり、装置外部からのリターンビデオ信号を確認するため等の映像表示装置となる。ビューファインダ１２のファインダ部１２ａは、図８中矢印Ａ１乃至矢印Ａ４に示すように、カメラ本体１１に対して２７０°程度の範囲で回動可能とされる。また、ファインダ部１２ａは、使用者が右肩の上にショルダーパット１５が当接するようにビデオカメラ１を保持した場合、後述する接眼部３９が後方に向く位置が基準とされている。尚、かかるファインダ部１２ａは、後述する表示パネル支持部３５、折曲部３２、ルーペ部３３等から構成される。
【００２２】
具体的に、ファインダ部１２ａが、図８中矢印Ａ１方向に示すように、基準位置から左回りに９０°回動した位置にあるときは、例えば、ビデオカメラ１が使用者に対して低い位置にある場合、つまりローアングルでの撮像に好適である。
【００２３】
また、ファインダ部１２ａが、図８中矢印Ａ２に示すように、基準位置から左回りに１２０°回動した位置にあるときは、例えば、ビデオカメラ１を使用者が抱きかかえ上方を撮像する場合に好適である。かかる姿勢のファインダ部１２ａは、使用者がビデオカメラ１を抱きかかえながらも映像を確認することができる。
【００２４】
また、ファインダ部１２ａが、図８中矢印Ａ３に示すように、基準位置から左回りに１８０°回動した位置にあるときは、例えば、自分撮りをするような場合に好適である。かかる姿勢のファインダ部１２ａは、ビデオカメラ１を三脚等により保持するとともに、使用者自身が撮影されながら映像を確認することができる。尚、かかる状態では、接眼部３９が撮像レンズ２１の方向を向いている。
【００２５】
更に、ファインダ部１２ａが、図８中矢印Ａ４に示すように、基準位置から右回り９０°回動した位置にあるときは、例えば、ビデオカメラ１が使用者に対して高い位置にある場合、つまりハイアングルでの撮像に好適である。
【００２６】
取手部１４は、使用者がビデオカメラ１を持ち歩く際や、ビデオカメラ１を低い位置で用いる場合に、ビデオカメラ１を保持するために使用者が手で握ることができるように設けられている。
【００２７】
ショルダーパット１５は、カメラ本体１１の底面に凹部をなして形成されており、ビデオカメラ１を肩に乗せて用いる場合に肩と当接する部分となり、使用者の肩に乗せやすくするために、柔らかな材料を用いて曲面を持たせた形状に形成されている。
【００２８】
三脚取付部１６は、三脚とカメラ本体１１を接続するためのねじ孔が設けられている。
【００２９】
ビューファインダ取付部１７には、図９に示すように、ビューファインダ１２が取り付けられる。ビューファインダ取付部１７は、板状の部材であり、ビューファインダ１２が取り付けられる際、図９中の矢印Ａ５方向に沿ってビューファインダが挿入され、ビューファインダ１２の取付溝部３４が係合される。ビューファインダ取付部１７の上端及び下端にはこの取付溝部３４の形状に合うように傾斜１７ａが形成されている。また、ビューファインダ取付部１７には、ビューファインダ１２が挿入される側の端部と反対側の端部の上端が切り欠かれてストッパ部１７ｂが形成される。このストッパ部１７ｂは、ビューファインダ１２が挿入された際に後述するロックピン３４ａがストッパ部１７ｂの切り欠かれた部分に係合することで、ビューファインダ１２が外れないようにする。また、ビューファインダ取付部１７には、ビューファインダ１２が取り付けられる面とは反対側の面に、ビューファインダ１２をカメラ本体１１に対して固定するロックねじ１７ｃが設けられている。
【００３０】
以上のように構成されたビデオカメラ１のビューファインダ取付部１７に着脱可能に取り付けられる本発明が適用されたビューファインダ１２について図面を用いて以下に詳細に説明する。図１０〜図１５は、それぞれ、ビューファインダの正面図、背面図、左側面図、右側面図、平面図、底面図である。図１６は、ビューファインダの斜視図であり、図１７は、図１６と異なる方向からのビューファインダの斜視図である。
【００３１】
〔２．ビューファインダの構成〕
ビューファインダ１２は、図１０〜図１９に示すように、映像を表示する画像表示体としての液晶表示パネル３０を有する本体部３１と、ミラー３７を有する折曲部３２と、拡大レンズを有するルーペ部３３とを備えている。本体部３１には、図９及び図１６に示すように、上述したビューファインダ取付部１７に取り付けられ固定される挿入取付用の取付溝部３４が設けられる。また、本体部３１は、液晶表示パネル３０を支持する表示パネル支持部３５を有する。また、本体部３１には、液晶表示パネル３０に表示される映像を調整するための調整操作部３６が設けられる。また、本体部３１の表示パネル支持部３５と反対側の端部には、マイク２２を取り付けるためのマイク取付部２３が設けられる。
【００３２】
折曲部３２は、内部に光路折り曲げ用のミラー３７を有する鏡筒である。折曲部３２は、本体部３１の液晶表示パネル３０側の一端部に対して回動可能に設けられ、図１７及び図１９に示すように、この一端部としての本体部３１の液晶表示パネル３０を外部に臨ませる開口端３５ａを開閉する。換言すると、折曲部３２は、第１の回動支持部として後述のヒンジ部４２により回動可能に設けられ、液晶表示パネル３０を開放し又は閉塞することができる。
【００３３】
ルーペ部３３は、図１６に示すように、内部に通過する光を拡大するレンズ群３８と、フード部３９ａを有する接眼部３９とを有している。レンズ群３８は、例えば２枚程度の複数枚から構成されても１枚で構成されていてもよい。ルーペ部３３は、折曲部３２に対して回動可能に設けられ、図１６及び図１８に示すように、折曲部３２のミラー３７を外部に臨ませる一方の開口端３２ａを開閉する。すなわち、ルーペ部３３は、折曲部３２の本体部３１と反対側の他端部に第２の回動支持部として後述のヒンジ部４１により回動可能に設けられ、この他端部としての開口端３２ａを開閉する。尚、折曲部３２の他方の開口端３２ｂは、上述した本体部３１の開口端３５ａに接続されている。換言すると、ルーペ部３３は、液晶表示パネル３０からの光（映像）を反射するミラー３７を開放し又は閉塞することができる。
【００３４】
ルーペ部３３及び折曲部３２は、それぞれ回動支持部材となるフリクション構造を有するヒンジ部４１，４２と、それぞれが閉塞した状態で固定するためのロック部４３，４４とを有する。
【００３５】
ここで、折曲部３２及びルーペ部３３に取り付けられるヒンジ部４１は、図１６、図１８、図２０〜図２３に示すように、ルーペ部３３の取付側の開口端３３ａの一辺３３ｂに固定される回動軸５１と、この回動軸５１に被嵌する軸受部５２とを有する。さらに、ヒンジ部４１は、軸受部５２に一体に設けられる結合部５３と、折曲部３２の開口端３２ａの一辺３２ｃに設けられ結合部５３が取り付けられる取付部５４とを有する。折曲部３２に対してルーペ部３３を回動させると、軸受部５２に対して回動軸５１が相対回動することとなり、回動抵抗（回動トルク）が生じる。尚、回動軸５１及び軸受部５２は、所望の回動抵抗を得るための材質や寸法が選択されている。また、この回動トルクを変更するために抵抗増大用回動部を更に設けるように構成しても良い。かかる回動軸５１及び軸受部５２を有するフリクション構造を有するヒンジ部４１は、ルーペ部３３をユーザーが所望する各回動姿勢で静止させることを可能とし、所謂フリーストップ機能を発揮させる。これによりルーペ部３３を開放し、所望の回動状態とした場合にもバタバタと揺動すること等を防止でき、撮影等の邪魔となることを防止できる。また、フリクション構造とされる回動支持部材であるヒンジ部４１，４２の構成は、上述に限られるものではなく、所定のバネ部材を有する構成や、所定のオイル構造を有するように構成しても良い。
【００３６】
ヒンジ部４１を構成する結合部５３及び取付部５４は、折曲部３２及びルーペ部３３を接合及び分離する機能を有する。すなわち、結合部５３は、取付部５４に対して、上述の開口端の一辺と平行な方向にスライド可能なように構成される。すなわち、開口端の一辺とは、折曲部３２の開口端３２ａの一辺３２ｃ及びルーペ部３３の開口端３３ａの一辺３３ｂを意味する。そして、この開口端の一辺と平行な方向とは、図２０中矢印Ｂ１方向及び矢印Ｂ２方向を意味する。
【００３７】
結合部５３は、図２０〜図２３に示すように、スライド方向に平行な摺接溝５３ａと、側壁部５３ｂに設けられる係合穴部５３ｃと、側壁部５３ｂの挿入端側に切り欠き部を設けることにより形成される挿入端側壁部５３ｄとを有する。
【００３８】
取付部５４は、この摺接溝５３ａに対応した摺接突条部５４ａと、結合部５３が取付部５４に挿入された状態で係合穴部５３ｃに係合する係合部５４ｃとを有する。また、取付部５４は、係合部５４ｃに一体に設けられる操作部５４ｂと、かかる係合部５４ｃを結合部５３側に付勢する弾性バネ等からなる付勢部５４ｄとを有する。
【００３９】
結合部５３及び取付部５４は、結合部５３が図中矢印Ｂ１方向に当接し、摺接溝５３ａが摺接突条部５４ａに摺接した状態で、係合部５４ｃが係合穴部５３ｃに係合している。すなわち、この係合部５４ｃ及び係合穴部５３ｃがロック機構として機能して、折曲部３２及びルーペ部３３を接合した状態として、且つルーペ部３３を折曲部３２に対して回動自在とする。
【００４０】
かかる接合状態から操作部５４ｂが使用者により図中矢印Ｂ３方向に移動されると、操作部５４ｂに一体に設けられた係合部５４ｃも矢印Ｂ３方向に移動させられ、係合部５４ｃと係合穴部５３ｃとの係合状態が解かれる。
【００４１】
この状態で結合部５３及びこれと一体とされているルーペ部３３を矢印Ｂ１方向と反対方向であるＢ２方向に移動させ、結合部５３を取付部５４に対してＢ２方向にスライドすることで摺接溝５３ａ及び摺接突条部５４ａの摺接及び係合された状態を解除する。摺接溝５３ａ及び摺接突条部５４ａの摺接状態が解かれると、結合部５３は取付部５４から離間して、結合部５３が取付部５４に接合された状態から分離された状態とされ、ルーペ部３３が折曲部３２から取り外された状態とされる。
【００４２】
一方、分離された状態から接合される場合には、図２０矢印Ｂ１方向に向けて結合部５３が取付部５４にスライドし挿入される。この際、係合部５４ｃは、結合部５３側に付勢部５４ｄに付勢されているが、スライド方向に対して傾斜して形成された挿入端側壁部５３ｄにより付勢力に対向して矢印Ｂ３方向に移動される。これにより結合部５３は、Ｂ１方向に取付部５４内にスライド動作され、係合部５４ｃが結合部５３の係合穴部５３ｃに対応する位置となった際に、係合部５４ｃが係合穴部５３ｃ内に移動されて係合状態となる。そして、結合部５３と一体とされたルーペ部３３と、取付部５４と一体とされた折曲部３２とが接合状態とされる。
【００４３】
上述した構成とされたヒンジ部４１により折曲部３２に対して回動自在に保持されるルーペ部３３は、閉塞状態のときに、ロック部４３により折曲部３２に対して閉塞状態が保持される。
【００４４】
かかるロック部４３は、図１８及び図２４に示すように、ルーペ部３３の取付側の開口端３３ａの一辺３３ｂに対向する一辺３３ｃに設けられるロック爪部５５と、開口端３２ａの一辺３２ｃに対向する一辺３２ｄに設けられる係合部５６とを有する。ロック爪部５５は、回動可能に設けられ一端側が操作部５５ａとされ、他端側が係合部５６に係合するロック爪係合部５５ｂとされる。ロック爪部５５は、ルーペ部３３が折曲部３２を閉塞した状態で、バネ等の付勢部材５７により、ロック爪係合部５５ｂが係合部５６に係合する方向Ｃ１に付勢されており、この付勢力により係合状態を保持する。係合状態とされたロック爪部５５と係合部５６は、この係合状態によりルーペ部３３が折曲部３２に対して開放方向に回動することを規制して、閉塞状態を保つものであり、ロック機能を発揮する。
【００４５】
ロック部４３は、図１８及び図２４に示すように、上述のようにロック機能を発揮した状態から操作部５５ａが矢印Ｃ２方向に使用者に押されると、ロック爪部５５が付勢部材５７の付勢力に対抗して矢印Ｃ２方向に回動される。Ｃ２方向に回動されたロック爪部５５の他端側のロック爪係合部５５ｂは、係合部５６との係合が解除され、ロック機能が発揮しない状態とされる。すなわち、ロック爪部５５の操作部５５ａが押された状態で閉塞状態を解除でき、回動支持部材としてのヒンジ部４１を中心にルーペ部３３は、回動可能な状態とされる。
【００４６】
次に、本体部３１及び折曲部３２に取り付けられるヒンジ部４２について説明する。かかるヒンジ部４２は、上述した図２０〜図２３を用いて説明したヒンジ部４１と同様の構成であるので、同じ符号を付して詳細な説明は省略する。ヒンジ部４２は、折曲部３２の開口端３２ｂの一辺に固定される回動軸５１と、この回動軸５１に被嵌する軸受部５２と、軸受部５２に一体に設けられる結合部５３と、本体部３１の開口端３５ａの一辺に設けられ結合部５３が取り付けられる取付部５４とを有する。かかるヒンジ部４２も、上述と同様に、所定の回動抵抗が得られるフリクション構造とされた回動支持部材であり、折曲部３２を各回動姿勢で静止させることを可能とし、所謂フリーストップ機能を発揮させる。また、ヒンジ部４２は、図１９に示すように、上述したヒンジ部４１と同様に、上述の部材により、開口端の一辺と平行な方向にスライド可能であり、かかるスライド動作により取り外し及び装着可能な構成とされている。ここで、開口端の一辺とは、本体部３１の表示パネル支持部３５の開口端３５ａの一辺３５ｂ、及び、折曲部３２の開口端３２ｂの一辺３２ｅを意味する。そして、この開口端の一辺と平行な方向とは、図２０中矢印Ｄ１方向及び矢印Ｄ２方向を意味する。
【００４７】
上述した構成とされたヒンジ部４２により本体部３１の表示パネル支持部３５に対して回動自在に保持される折曲部３２は、閉塞状態のときに、ロック部４４により表示パネル支持部３５に対して閉塞状態が保持される。
【００４８】
かかるロック部４４について説明するが、上述した図２４を用いて説明したロック部４３と同様の構成であるので、同じ符号を付して詳細な説明は省略する。ロック部４４は、図１９に示すように、折曲部３２の開口端３２ｂの一辺３２ｅに対向する一辺３２ｆに設けられるロック爪部５５と、本体部３１の表示パネル支持部３５の開口端３５ａの一辺３５ｂに対向する一辺３５ｃに設けられる係合部５６とを有する。かかるロック部４４も、上述と同様に、ロック爪部５５及び係合部５６により、ロック機構を発揮する。また、ロック部４４は、ロック機能を発揮した状態から操作部５５ａが押されると、ロック機能が発揮しない状態とされ、回動支持部材としてのヒンジ部４２を中心に折曲部３２は、回動可能な状態とされる。
【００４９】
ところで、本体部３１の表示パネル支持部３５は、ビデオカメラ１のカメラ本体１１に取り付けられ固定される取付溝部３４等の取付部分に対して回転機構４６により回転可能とされている。すなわち、図８及び図１６に示すように、液晶表示パネル３０を支持した表示パネル支持部３５は、ビデオカメラ１に対して、液晶表示パネル３０の表示平面内で液晶表示パネル３０が回転するように、回転される。回転機構４６は、例えば図２５に示すように表示パネル支持部３５側に固定される軸４６ａと、本体部３１の固定部側に設けられこの軸４６ａを回転自在に保持する軸受部４６ｂとからなるように構成されている。表示パネル支持部３５を回転させる回転機構は、かかる構成に限られるものではない。
【００５０】
液晶表示パネル３０は、例えば、バックライトにより背面から照射された光に基づき、カメラ本体１１から接続コードを介して入力された映像信号により映像を表示するＬＣＤ（Liquid Crystal Display）で構成される。液晶表示パネル３０は、矩形状の映像表示画面を有しており、この映像表示画面は、対角線の長さが、例えば略３．５インチの大きさである。ビューファインダ１２を構成する表示体として液晶表示パネル３０に換えて有機ＥＬパネルやＣＲＴ等を用いてもよい。
【００５１】
液晶表示パネル３０を調整する調整操作部３６は、液晶表示パネル３０に表示される映像を調整するための各種入力部が設けられている。調整操作部３６は、この入力部を使用者が操作することで、例えば、明るさ調整、コントラスト調整、色バランス調整、表示位置調整、表示範囲調整等の各種調整を行うことができる。
【００５２】
ミラー３７は、図２５に示すように、表示パネル支持部３５の液晶表示パネル３０の映像表示面に対して４５°傾けてファインダ部１２ａの折曲部３２内部に配設されている。かかるミラー３７は、液晶表示パネル３０からの液晶表示パネル３０に表示された映像を９０°反射してルーペ部３３に導く。尚、ここでは、ミラー３７は、４５°傾けて９０°反射することで液晶表示パネル３０からの光路をＬ字状に折り曲げて構成されたが、各角度はこれに限られるものではない。すなわち、かかるミラー３７は、画像表示体としての液晶表示パネル３０等からの光路をＬ字状に折り曲げてルーペ部に導く構成であればよい。
【００５３】
ルーペ部３３は、ファインダ部１２ａに対して、着脱可能に設けられた光学ユニットであり、液晶表示パネル３０から出射された光を拡大するレンズ群３８と、端部に設けられた接眼部３９とを有している。
【００５４】
ルーペ部３３は、液晶表示パネル３０に表示された映像を拡大して確認するためのものであり、接眼部３９にフード部３９ａが設けられて外部からの光を遮光する。ルーペ部３３は、使用者の視野全体に映像が拡大表示されることで、使用者が映像に集中することができるようになっている。尚、ルーペ部３３内に、レンズ群３８側から液晶表示パネル３０に向かう光を減光する偏光フィルタを設けるように構成しても良い。ルーペ部３３内に偏光フィルタを設けた場合には、太陽光が液晶表示パネル３０に集光されることを防止して、液晶表示パネル３０の焼き付けを防止することができる。
【００５５】
レンズ群３８は、例えば２群構成とされた拡大レンズであり、液晶表示パネル３０に表示された映像を拡大する。接眼部３９は、上述したようにフード部３９ａが設けられており、使用者の目の周辺と当接することから軟性を有するゴム材により形成されている。
【００５６】
ところで、ファインダ部１２ａでは、ルーペ部３３がレンズ群３８を有しているため、液晶表示パネル３０に表示された映像が使用者の目に合焦する範囲がこのレンズ群３８の特性に依存する。すなわち、ルーペ部３３を用いた場合には、映像を確認する使用者の位置が制限されてしまうことがある。すなわち、接眼部３９から離間した位置からでは映像を確認することが困難となる。
【００５７】
この場合には、ルーペ部３３を折曲部３２に対して跳ね上げて液晶表示パネル３０に表示された映像をミラー３７越しに直接確認することができる。具体的には、図１８に示すように、ファインダ部１２ａのルーペ部３３を折曲部３２に対して第２の回動支持部としてのヒンジ部４１により回動させる。
【００５８】
かかるルーペ部３３の開放動作に際しては、まず、ロック部４３の操作部５５ａを図２４中矢印Ｃ２方向に押すことでロックが解除され、ルーペ部３３を跳ね上げ、すなわち回動可能な状態とできる。次いで、ルーペ部３３を所望の角度だけ付勢することでフリクション構造とされたヒンジ部４１が、各回動位置でルーペ部３３を静止可能な状態で回動させる。このように所謂フリーストップ可能なルーペ部３３は、揺動等により液晶表示パネル３０の視認が困難となること等を防止できる。また、図１８では１８０°回動した状態が示されているが、例えば９０°程度回動した状態でも静止でき、ビデオカメラ１を屋外で使用する場合には日よけの役割も果たす。
【００５９】
また、必要に応じて、ルーペ部３３を第２の回動支持部であるヒンジ部４１において折曲部３２から取り外すようにすることも可能である。具体的には、ヒンジ部４１の取付部５４の操作部５４ｂを図２１中矢印Ｂ３方向に押すことで、係合部５４ｃ及び係合穴部５３ｃの係合状態が解除される。そして、結合部５３と一体のルーペ部３３が取付部５４と一体の折曲部３２に対して図２１中矢印Ｂ２方向にスライド動作可能となる。Ｂ２方向へスライド動作されたルーペ部３３は、折曲部３２から分離され取り外された状態となる。ビューファインダ１２は、上述の動作を使用者の片手のみで操作可能であり、操作性が向上し、場合によっては撮影中においても取り外しが可能であり、使い勝手が各段に向上するものである。また、かかる構成を有するビューファインダ１２及びビデオカメラ１は、ルーペ部３３を完全に取り外すことなくても、回動することでルーペを介することなく、ミラー３７越しに液晶表示パネル３０を見ることができ、煩わしくなく、利便性が向上する。よって、撮影時や撮影直後に画像を確認する際に、操作が容易であるとともに別体となったルーペ部３３の取り扱いが容易である。
【００６０】
上述した図８中矢印Ａ１〜Ａ４のようにファインダ部１２ａがローアングルや自分撮りや高い位置での使用においては、ルーペ部３３を跳ね上げてミラー３７越しに液晶表示パネル３０を見ると利便性が向上する。特に図８中矢印Ａ３で説明した自分撮りの場合にはルーペ部３３をのぞき込むことができないので、かかる構成が有利である。
【００６１】
また、かかるビデオカメラ１では、現場での映像確認を行う場合も想定されている。すなわち、ビデオカメラ１の側面部に設けられた編集操作部２４を操作しながら、映像を確認したい場合がある。具体的には、液晶表示パネル３０にサムネイル表示をし、この映像を見ながら編集操作部２４により、ファイルの選択、編集、削除等を行うことが望まれる。かかることを想定した場合、ルーペ部３３を用いた場合では、映像を確認する使用者の位置が制限され編集操作部２４による操作を誤ってしまう可能性がある。上述の様にルーペ部３３を跳ね上げることも可能であるが、編集操作部２４の操作面は一般的に液晶表示パネル３０の表示面と同じ向きであることが多く、折曲部３２を表示パネル支持部３５に対して跳ね上げて使用することが便利である。
【００６２】
すなわち、この場合には、折曲部３２を跳ね上げて、液晶表示パネル３０に表示された映像を直接確認することができる。具体的には、図１９に示すように、ファインダ部１２ａの折曲部３２を本体部３１に対して第１の回動支持部としてのヒンジ部４２により回動させる。かかる構成を有するビューファインダ１２及びビデオカメラ１は、折曲部３２を完全に取り外すことなくても液晶表示パネル３０を見ることができ、煩わしくなく、利便性が向上する。よって、撮影時や撮影直後に画像を確認する際に、操作が容易であるとともに別体となった折曲部３２の取り扱いが容易である。
【００６３】
かかる折曲部３２の開放動作は、上述したルーペ部３３の開放動作と同様である。すなわち、ロック部４４の操作部５５ａによりロックが解除される。次いで、折曲部３２を所望の角度だけ付勢することでフリクション構造とされたヒンジ部４２が、各回動位置で折曲部３２を静止可能な状態で回動させる。このように所謂フリーストップ可能な折曲部３２は、揺動等により液晶表示パネル３０の視認が困難となること等を防止できる。また、図１９では１８０°回動した状態が示されているが、例えば９０°程度回動した状態でも静止でき、ビデオカメラ１を屋外で使用する場合には日よけの役割も果たす。
【００６４】
また、必要に応じて、折曲部３２を第１の回動支持部であるヒンジ部４２において表示パネル支持部３５から取り外すようにすることも可能である。上述と同様に、操作部５４ｂを押すことで係合状態が解除され、結合部５３と一体の折曲部３２が、取付部５４と一体の表示パネル支持部３５に対して図２０中矢印Ｄ１方向にスライド可能となる。Ｄ１方向へスライド動作された折曲部３２は、表示パネル支持部３５から分離され取り外された状態となる。ビューファインダ１２は、上述の動作を使用者の片手のみで操作可能であり、操作性が向上し、場合によっては撮影中においても取り外しが可能であり、使い勝手が各段に向上するものである。特に、カメラ本体１１の側面部に当該ビデオカメラを操作するための編集操作部２４を有し、液晶表示パネル３０の表示面が、本体部３１がカメラ本体１１に取り付けられた状態で、編集操作部２４の操作面と同じ向きである場合に有効である。換言すると、かかる構成は、液晶表示パネル３０を編集用としても使用できるので、後述の表示部２５として高性能で高価な表示体を用いることなく簡易な構成とすることを可能とする。さらに、上述のビデオカメラ１では、液晶表示パネル３０の表示面と、編集操作部２４の操作面と同じ向きとなるように、カメラ本体１１の側面部に、表示部２５が設けられている。すなわち、上述の様な折曲部３２を跳ね上げる構成により、液晶表示パネル３０及び表示部２５を見ながら、編集操作部２４を操作することを可能とする。よって、ビデオカメラ１の編集操作等の利便性が向上する。
【００６５】
ところで、上述したファインダ部１２ａでは、折曲部３２を閉塞している状態では、ミラー３７を用いて映像を反射するため、ルーペ部３３により拡大される映像が反転したいわゆる鏡像となり、実際に撮像している映像と異なるという問題がある。ルーペ部３３を跳ね上げた場合にも、同様に鏡像となる。その一方で、ファインダ部１２ａでは、折曲部３２を跳ね上げた状態では、液晶表示パネル３０を直接視認することとなり、映像が反転していない状態である。さらに、ファインダ部１２ａでは、図８中矢印Ａ３に示すように自分撮りの状態では、映像が回転し、上下が逆の状態となるという問題がある。
【００６６】
そこで、ビデオカメラ１では、例えば調整操作部３６に設けたスイッチを切り替えることにより、液晶表示パネル３０に表示させる映像を反転や回転させて接眼部３９等から使用者が確認した際に、反転していない正常な映像を見ることができるように制御している。
【００６７】
具体的に映像を反転する制御回路は、ビューファインダ１２用の映像信号を出力する映像信号出力部と、映像信号出力部により出力された映像信号に基づく映像を反転及び／又は回転させる映像反転部とを備える。また、制御回路は、映像反転部の動作をオン・オフする反転スイッチと、映像反転部により反転及び／又は回転された映像信号に基づき液晶表示パネル３０を駆動する液晶表示パネル制御部とを備える。映像信号出力部は、レンズ部１０により撮像されて出力される映像信号又はカメラ本体１１内の記録再生部から再生される映像信号をビューファインダ用の出力する回路である。映像反転部は、映像信号出力部から出力された映像信号を反転及び／又は回転させる信号処理回路である。かかる映像反転部は、反転スイッチがオンである場合に映像信号を反転させて液晶表示パネル制御部へ出力し、反転スイッチがオフである場合に映像信号の反転を行わずにそのままの映像信号を液晶表示パネル制御部へ出力する。尚、ビューファインダ１２の反転スイッチは例えば調整操作部３６に設けてもよい。さらに、センサと組み合わせるように構成しても良い。具体的には、折曲部３２のヒンジ部４２の回動角度を検出するセンサと、表示パネル支持部３５の回転機構４６の回転角度を検出するセンサとを設け、この検出結果に応じて反転スイッチをオン・オフすればよい。液晶表示パネル制御部は、映像反転部から出力された映像信号に基づき液晶表示パネル３０を駆動して、液晶表示パネル３０に映像を表示させる。
【００６８】
本発明を適用したビューファインダ１２は、上述のように、本体部３１と、折曲部３２と、ルーペ部３３とを備え、折曲部３２が第１の回動支持部であるヒンジ部４２により回動可能とされる。そして、ルーペ部３３が第２の回動支持部であるヒンジ部４１により回動可能とされている。そして、折曲部３２のミラー３７が、折曲部３２及びルーペ部３３が閉塞した状態で本体部３１に設けられた液晶表示パネル３０からの光路をＬ字状に折り曲げてルーペ部３３に導くよう構成されている。かかるビューファインダ１２は、折曲部３２とルーペ部３３がそれぞれ回動し開閉可能なように構成されているため、画像表示体を直接見るか、ミラー越しに見るか、ミラー及びルーペ越しに見るかを簡単な操作で選択することを可能とする。よって、ビューファインダ１２は、様々な撮影姿勢で撮影を行う際にも、常に画像表示体の表示が見やすくすることを実現でき、且つ、その際の操作を簡単にすることができる。また、本発明を適用したビューファインダ１２は、ルーペ部３３や折曲部３２が本体部３１と外れないようにされている。よって、ビューファインダ１２は、これらが別体とならなくてよいのでルーペ部３３や折曲部３２の取り扱いが容易である。換言するとビューファインダ１２は、ルーペ部３３や折曲部３２を完全に取り外すことなくても液晶表示パネル３０を見ることができ、利便性が向上する。
【００６９】
また、ビューファインダ１２は、折曲部３２及びルーペ部３３の一方又は両方が、回動支持部分であるヒンジ部４１，４２において取り外し可能に構成されている。かかるビューファインダ１２は、ビデオカメラ１の使用状態に応じて折曲部３２及び／又はルーペ部３３を取り外すことにより、種々の角度から液晶表示パネル３０がより見やすくなる。また、使い勝手が向上する。
【００７０】
また、ビューファインダ１２は、折曲部３２及び／又はルーペ部３３の回動支持部分であるヒンジ部４１，４２が、基本姿勢において上方に位置する一辺に設けられ、上方に向けて開放動作される構成とされている。かかるビューファインダ１２は、折曲部３２又はルーペ部３３を回動して跳ね上げた状態として使用することで、屋外でビデオカメラ１を使用する場合に、日よけの効果を得て液晶表示パネル３０の見易さが向上する。
【００７１】
また、本発明を適用したビデオカメラ１は、被写体を撮像するカメラ本体１１と、ビューファインダとを備えるビデオカメラであり、かかるビューファインダとして上述のビューファインダ１２を用いるものである。かかるビデオカメラ１は、様々な撮影姿勢で撮影を行う際にも、常に画像表示体の表示が見やすくすることを実現でき、且つ、その際の操作を簡単にすることを実現する。
【００７２】
また、ビデオカメラ１は、カメラ本体１１の側面部にビデオカメラを操作するための編集操作部２４の操作面が設けられている。そして、ビューファインダ１２の液晶表示パネル３０の表示面と、編集操作部２４の操作面とが同じ向きとされている。かかるビデオカメラ１は、折曲部３２を跳ね上げて液晶表示パネル３０を直接視認した状態で編集操作部２４の操作面を操作することを可能とする。よって、かかるビデオカメラ１は、液晶表示パネル３０に例えばサムネイル表示を表示するとともに、各ファイル、画像を選択，編集等を液晶表示パネル３０を見ながら編集操作部２４を操作すること等を可能とし、使用感が向上する。
【００７３】
さらに、ビデオカメラ１は、カメラ本体１１の側面部に表示部２５を有している。そして、表示部２５の表示面は、編集操作部２４の操作面と、液晶表示パネル３０の表示面と同じ向きとされている。かかるビデオカメラ１は、表示部２５の表示面と、液晶表示パネル３０の表示面を見ながら編集操作部２４を操作することを可能とし、本装置の操作上の利便性を向上できる。
【符号の説明】
【００７４】
１  ビデオカメラ、１０  レンズ部、１１  カメラ本体、１２  ビューファインダ、１４  取手部、１５  ショルダーパッド、１６  三脚取付部、１７  ビューファインダ取付部、１８  ＩＣカードスロット、２１  撮像レンズ、２２  マイク、２３  マイク取付部、２４  編集操作部、２５  表示部、３０  液晶表示パネル、３１  本体部、３２  折曲部、３３  ルーペ部、３４  取付溝部、３４ａ  ロックピン、３５  表示パネル支持部、３６  調整操作部、３７  ミラー、３８  レンズ群、３９  接眼部、４１  ヒンジ部、４２  ヒンジ部、４３  ロック部、４４  ロック部、４６  回転機構、５１  回動軸、５２  軸受部、５３  結合部、５４  取付部、５５  ロック爪部、５６  係合部、５７  付勢部材
【図１】
2011087255.tif 000003
【図２】
2011087255.tif 000004
【図３】
2011087255.tif 000005
【図４】
2011087255.tif 000006
【図５】
2011087255.tif 000007
【図６】
2011087255.tif 000008
【図７】
2011087255.tif 000009
【図８】
2011087255.tif 000010
【図９】
2011087255.tif 000011
【図１０】
2011087255.tif 000012
【図１１】
2011087255.tif 000013
【図１２】
2011087255.tif 000014
【図１３】
2011087255.tif 000015
【図１４】
2011087255.tif 000016
【図１５】
2011087255.tif 000017
【図１６】
2011087255.tif 000018
【図１７】
2011087255.tif 000019
【図１８】
2011087255.tif 000020
【図１９】
2011087255.tif 000021
【図２０】
2011087255.tif 000022
【図２１】
2011087255.tif 000023
【図２２】
2011087255.tif 000024
【図２３】
2011087255.tif 000025
【図２４】
2011087255.tif 000026
【図２５】
2011087255.tif 000027